(57)【特許請求の範囲】
【請求項１】
光ファイバケーブル（４）が引き込まれるキャビネット本体（１ａ）の底板が光ファイバ（６，８）が配線される配線用プレート（２）とされ、この配線用プレート上には、前記キャビネット本体の内側に向けて張り出された張出部（１５ａ）を有する支持部材（１５）が固定され、
前記張出部の上面には、前記キャビネット本体に引き込まれた前記光ファイバケーブルを固定するケーブル固定部（５）が設けられ、
前記張出部の下面と前記配線用プレート（２）の上面である光ファイバ配線面（２ａ）との間に、光ファイバの配線が可能な隙間（１６）を確保してなることを特徴とする光キャビネット（１）。
【請求項２】
前記張出部は、前記配線用プレートに固定された前記支持部材の立上部（１５ｃ）から前記配線用プレートに沿うようにして張り出されていることを特徴とする請求項１記載の光キャビネット。
【請求項３】
前記配線用プレート上に、前記光ファイバケーブル端末から口出しされた光ファイバ（６）の余長を吸収する余長吸収部（７）と、この光ファイバ（６）に前記キャビネット本体（１ａ）内に別途配線される光ファイバ（８）を接続する接続部ホルダと、別途配線される前記光ファイバ（８）の余長を吸収する余長吸収部（１１）とを設けてなることを特徴とする請求項１または２記載の光キャビネット。
【発明の詳細な説明】
【０００１】
【発明の属する技術分野】
本発明は、光ファイバケーブルから口出しされた光ファイバの仕分け配線、コネクタ成端等を行う光キャビネットに関するものである。
【０００２】
【従来の技術】
例えば、光ファイバケーブル端末から口出しした光ファイバの余長処理、仕分け、コネクタ成端を行うものとして専用の光キャビネット（光接続箱）が提供されている。この光キャビネットとしては、光ファイバケーブルから口出しした光ファイバが引き回し配線される配線用プレートを備える構成が一般的であり、光ファイバケーブルから口出しされた光ファイバを前記配線用プレート上の光ファイバ配線面に湾曲配線して余長を吸収したり、口出しされた前記光ファイバを前記光ファイバ配線面に配線された別の光ファイバとの接続位置等の目的位置まで引き回し配線したり、光ファイバ配線面に配線された光ファイバを成端用の目的の光コネクタまで引き回すようになっている。
【０００３】
ところで、前述のようなキャビネットの前記配線用プレート上での光ファイバの配線では、光ファイバの光特性に影響を与えない規定以上の湾曲半径（例えばｒ３０）を確保できる配線ルートを設定する必要があるから、余長の収納や配線ルート設計等を容易にする点では、配線用プレート上に充分な面積の光ファイバ配線面を確保することが有利である。従来例のキャビネットでは、図５に示すように、光ファイバケーブル２１を固定する把持部品２２やテンションメンバ固定部２２ａを、光ファイバ配線面２３を形成する配線用プレート２４（ここでは、キャビネットの底板）の外周部に取り付け、前記把持部品２２近傍にて前記光ファイバケーブル２１から口出しされた光ファイバ２５（光ファイバ心線、光ファイバ素線等）を、前記把持部品２２近傍に存在するキャビネット側壁部２６をガイド壁として湾曲反転させることで、光ファイバケーブル２１から口出しされた光ファイバ２５の湾曲処理に必要な処理スペースを極力小さくする構造が多く採用されている。図６に示すように、把持部品２２やテンションメンバ固定部２２ａは、いずれも配線用プレート２４上に直接固定されるようになっており、光ファイバケーブル２１から口出しされた光ファイバ２５は、光ファイバケーブル２１端末から光ファイバ配線面２３上を湾曲配線することで反転される。
【０００４】
【発明が解決しようとする課題】
しかしながら、前述の図５、図６に示したような構造では、
▲１▼ケーブル導入口の位置、角度（光ファイバケーブル２１の導入角度）に制限があり、光ファイバケーブル２１の口元からキャビネット側壁部２６までの距離Ｌを短くすると、光ファイバ素線等の比較的強度の弱い光ファイバ２５では、湾曲反転して巻き付け具に至るまでに、光特性に影響する程度の許容以上の変形（曲げ）が生じてしまう可能性がある。
▲２▼ケーブル導入口から出た光ファイバがキャビネットの壁に接触して反転される場合、接触角度や接触部分の長さがケーブル導入口の角度と位置で規制されると、光特性に影響する程度の許容以上の接触角度となることがある（特に光ファイバ素線の場合には顕著）。
▲３▼前記▲２▼のようにキャビネットの壁に接触すること自体、光ファイバを傷めるおそれがあり、接触長を長くすることは好ましくない（特に光ファイバ素線の場合には顕著）。
といった問題があった。
【０００５】
本発明は、前述の課題に鑑みてなされたもので、キャビネット本体内に引き込まれた光ファイバケーブルから口出しされた光ファイバの湾曲処理スペースを縮小でき、キャビネット本体内に配線される光ファイバの高密度化、小型化等を実現できる光キャビネットを提供することを目的とする。
【０００６】
【課題を解決するための手段】
本発明の請求項１記載の光キャビネットは、光ファイバケーブルが引き込まれるキャビネット本体の底板が光ファイバが配線される配線用プレートとされ、この配線用プレート上には、前記キャビネット本体の内側に向けて張り出された張出部を有する支持部材が固定され、前記張出部の上面には、前記キャビネット本体に引き込まれた前記光ファイバケーブルを固定するケーブル固定部が設けられ、前記張出部の下面と前記配線用プレートの上面である光ファイバ配線面との間に、光ファイバの配線が可能な隙間を確保してなることを特徴とする。
請求項２記載の光キャビネットは、請求項１において、前記張出部は、前記配線用プレートに固定された前記支持部材の立上部から前記配線用プレートに沿うようにして張り出されていることを特徴とする。
請求項３記載の光キャビネットは、請求項１または２において、前記配線用プレート上に、前記光ファイバケーブル端末から口出しされた光ファイバの余長を吸収する余長吸収部と、この光ファイバに前記キャビネット本体内に別途配線される光ファイバを接続する接続部ホルダと、別途配線される前記光ファイバの余長を吸収する余長吸収部とを設けてなることを特徴とする。
【０００７】
【発明の実施の形態】
以下、本発明の１実施の形態を図面を参照して説明する。
図１は、光キャビネットの一例を示す平面図、図２はケーブル固定部近傍を示す平面図、図３はケーブル固定部近傍を示す側断面図、図４はケーブル固定部近傍を示す正断面図である。
図１〜図３において、前記光キャビネット１（以下「キャビネット１」と略称することがある）は、トレー状に構成されたキャビネット本体１ａを備えて構成されている。図中、符号２は配線用プレート、３は前記配線用プレート２の周囲に立ち上げられた側壁である。前記配線用プレート２は、ここでは、前記キャビネット本体１ａの底板を構成している。
この光キャビネット１は、キャビネット本体１ａの配線用プレート２がほぼ水平となる向きで用いられる。
【０００８】
このキャビネット１は、キャビネット本体１ａの側壁３に設けられた図示しない開口部を貫通させることで光ファイバケーブル４をキャビネット本体１ａの内部に引き込むことができるように構成されている。キャビネット本体１ａの配線用プレート２上には、光ファイバケーブル４を固定するケーブル固定部５と、このケーブル固定部５によって固定された光ファイバケーブル４端末から口出しされた光ファイバ６（光ファイバ素線、光ファイバ心線等）を巻いたり湾曲配線することで余長を吸収する余長吸収部７とが設けられている。また、前記配線用プレート２上には、光ファイバケーブル４端末から口出しされた光ファイバ６と、別途、キャビネット本体１ａ内に配線された光ファイバ８（光ファイバ素線、光ファイバ心線、光ファイバコード等）との接続部９（融着接続部等）を保持する接続部ホルダ１０や、光ファイバ８の余長を湾曲吸収する余長吸収部１１も設けられている。光ファイバ６、８は、配線用プレート２上面である光ファイバ配線面２ａ上に配線される。
【０００９】
前記光ファイバ８は、一端が光コネクタ８ａによってコネクタ接続可能に成端されており、キャビネット本体１ａの側壁３に実装された光コネクタアダプタ１２に対して前記光コネクタ８ａによって、キャビネット本体１ａ内側からコネクタ接続される。光ファイバケーブル４端末から口出しされた光ファイバ６を前記光ファイバ８の他端と接続し、前記光ファイバ８を、キャビネット１の側壁３に実装された光コネクタアダプタ１２に接続すると、光ファイバケーブル４側の光ファイバ６が光ファイバ８を介して光コネクタアダプタ１２に接続されることとなる。ここで、前記光コネクタアダプタ１２は、キャビネット１外側から別の光ファイバ１３が光コネクタプラグ１３ａによってコネクタ接続されるようになっているから、これにより、光ファイバケーブル４側の光ファイバ６が光コネクタアダプタ１２によって、光ファイバ１３に対してコネクタ接続可能に成端されることとなる。
なお、図３中、符号１４はマンドレルであり、余長吸収部７、１１にて光ファイバ６、８の余長を巻き付け処理するものである。
【００１０】
図３および図４に示すように、前記ケーブル固定部５は、キャビネット本体１ａに固定された支持部材１５から張り出された張出部１５ａに組み立てられている。前記張出部１５ａは、キャビネット本体１ａの外周部に固定された支持部材１５から、該キャビネット本体１ａの配線用プレート２上面である光ファイバ配線面２ａに対する離間距離（隙間１６）を確保して、前記キャビネット本体１ａ内側に向けて張り出された部分であり、この張出部１５ａに組み立てられたケーブル固定部５は、光ファイバ６、８が配線される光ファイバ配線面２ａに対して隙間１６を介して離間されている。
前記隙間１６は、光ファイバが配線可能な大きさになっている。また、光ファイバ配線面２ａと光ファイバケーブル４との間には、離間距離Ｔ（図４参照）の段差が存在する。
【００１１】
図２から図４において、具体的には、前記支持部材１５は、キャビネット本体１ａの底板である配線用プレート２に固定される基板１５ｂと、この基板１５ｂから立ち上げるようにして形成された立上部１５ｃと、この立上部１５ｃからキャビネット本体１ａの配線用プレート２に沿うようにして張り出された張出部１５ａとを備えた構成になっている。ケーブル固定部５は、把持プレート５ａ、ネジ５ｂ、ナット５ｃ等からなる把持部品５ｄを前記張出部１５ａ上に組み立てた部分であり、光ファイバ６の配線の可能な隙間１６を介して光ファイバ配線面２ａに対して離間されている。また、ケーブル固定部５に近接して設けられたテンションメンバ固定部５ｅは、支持部材１５とは別に配線用プレート２から立ち上げるようにして設けられており、前記ケーブル固定部５に固定された光ファイバケーブル４端末に露出されたテンションメンバ４ａを固定する。
図２、図３においては、ケーブル固定部５は、張出部１５ａに、把持部品５ｄを２つ組み立てたものであるが、把持部品５ｄの張出部１５ａに対する設置数は１または３以上であっても良い。光ファイバ配線面２ａに沿って延在する構成の張出部を備える構成の支持部材であれば、張出部の設計によって、把持部品等を複数設置することが容易である。
なお、光ファイバケーブル４の固定が、ケーブル固定部５による固定力で充分に足りる場合には、テンションメンバ固定部５ｅを省略することも可能である。
【００１２】
ケーブル固定部５に固定された光ファイバケーブル４から口出しされた光ファイバ６は、ケーブル固定部５近傍のキャビネット本体１ａの側壁３をガイド壁３ａとして、このガイド壁３ａ近傍から湾曲反転されて光ファイバ配線面２ａへ配線されるが、ケーブル固定部５近傍にて光ファイバケーブル４に形成された口元４ｂから光ファイバ配線面２ａに至るまでに、ケーブル固定部５とガイド壁３ａとの間に確保された空間１７内に３次元的に配線されることで、実質的に配線可能な長さを増し、緩やかな湾曲を以って配線することができる。このため、空間１７を狭くしても、光ファイバ６を空間１７内にて緩やかに配線することができ、局所的に急激な曲げを与える心配が無い。その結果、光ファイバケーブル４から口出しした光ファイバ６の湾曲処理に要する処理スペースの縮小が可能となり、光キャビネット１の高密度化、小型化を実現できる。また、光ファイバケーブル６から口出しした光ファイバ６が、光ファイバ素線等の比較的弱い光ファイバであっても、急激な曲げによって傷めるといった心配が無い。
【００１３】
また、この光キャビネット１では、ケーブル固定部５と光ファイバ配線面２ａとの間に確保した隙間１６にも光ファイバ６、８を配線することが可能であり、この隙間１６を利用することで、光ファイバ配線面２ａ上での光ファイバ６、８の引き回しや、光ファイバ６の余長の湾曲処理等を、ケーブル固定部５に干渉すること無く効率良く行える（図１〜図４では、隙間１６に光ファイバケーブル４側の光ファイバ６のみを配線した状態を例示しているが、隙間１６を光コネクタアダプタ１２側の光ファイバ８の引き回しに利用することも可能である）。この結果、キャビネット本体１ａの内部を光ファイバ６、８の配線に有効に利用することができ、キャビネット本体１ａに配線される光ファイバの高密度化を実現でき、キャビネット１の小型化も容易である。
また、このキャビネット１では、光ファイバ配線面２ａに配線された光ファイバ６、８がケーブル固定部５の構成部品と接触することを回避することもできるので、ケーブル固定部５の構成部品との接触による光ファイバ６、８の損傷を回避することができる。このため、光ファイバ６、８が光ファイバ素線等の比較的損傷を受けやすい光ファイバであっても、これら光ファイバ６、８の光特性を安定に維持できるといった利点もある。
【００１４】
なお、本発明は、前記実施の形態に限定されず、各種変更が可能である。
例えば、ケーブル固定部は、図３等に例示したように、キャビネット本体１ａの配線用プレート２に固定される支持部材１５上部の張出部１５ａに組み立てられることで、光ファイバ配線面２ａからの離間距離を確保する構成に限定されず、ケーブル固定部の支持構造としては、光ファイバ配線部からの離間距離を確保できる構成であれば各種構成が採用可能であり、例えば、前記キャビネット本体１ａのように側壁を備えるキャビネット本体であれば、前記側壁からキャビネット本体内側に向けて張り出された支持部材であっても良い。ケーブル固定部と光ファイバ配線面との間に隙間を確保する構成としても、各種構成が採用可能であり、例えば、前述のように、キャビネット本体の側壁からキャビネット本体内側に向けて張り出された支持部材によってケーブル固定部を構成する構成等であっても良い。
【００１５】
ケーブル固定部としては、前記実施の形態に例示したように把持部品とテンションメンバ固定部とを支持部材１５（詳細には張出部１５ａ）に組み立てた構成に限定されず、把持部品のみを支持部材に組み立ててなる構成、把持部品以外の例えばインシュロックタイ等の結束部材を支持部材に組み立ててなる構成等、各種構成が採用可能である。
また、図１〜図４では、ケーブル固定部５と光ファイバ配線面２ａとの間に確保された隙間１６に、ケーブル固定部５に固定された光ファイバケーブル４から口出しされた光ファイバ６を配線する構成を例示したが、本発明はこれに限定されず、ケーブル固定部と光ファイバ配線面との間に確保される隙間に配線される光ファイバは、例えば前記実施の形態にて例示した光コネクタアダプタ１２側の光ファイバ８等、各種構成が採用可能である。
また、本発明は、ケーブル固定部と、光ファイバ配線面を形成する配線用プレートとを備える各種構成の光キャビネットに適用可能であり、例えば、光ファイバケーブルから口出しされた光ファイバに接続される光ファイバや、光コネクタアダプタを備えていないものに対しても適用可能である。
【００１６】
【発明の効果】
以上説明したように、本発明の光キャビネットによれば、配線用プレート上に、キャビネット本体の内側に向けて張り出された張出部を有する支持部材を固定し、前記張出部の上面に、前記キャビネット本体に引き込まれた前記光ファイバケーブルを固定するケーブル固定部を設けたので、光ファイバケーブルから口出された光ファイバが、ケーブル固定部に固定された光ファイバケーブルの口元から光ファイバ配線面までの間に３次元的に配線されることになり、この結果、光ファイバ（特に光ファイバ素線等の弱い光ファイバでは顕著）の布線形態がキャビネットへのケーブル導入口や導入角度により規制されにくくなり、布線の自由度が向上し、曲げ半径を大きくすることができ、緩やかな湾曲を以って配線することができる。この結果、光ファイバケーブルから口出しされた光ファイバの湾曲処理する処理スペースの縮小が可能になり、このキャビネットの高密度化、小型化が可能になる。
【００１７】
また、張出部の下面と配線用プレートの上面である光ファイバ配線面との間に、光ファイバの配線が可能な隙間を確保したので、この隙間をも光ファイバの配線に利用することで、光ファイバ配線面上での光ファイバの配線をケーブル固定部と干渉すること無く効率良く行うことができるようになり、キャビネット本体に配線される光ファイバの高密度化、キャビネットの小型化を実現できるといった優れた効果を奏する。
【図面の簡単な説明】
【図１】  本発明の１実施の形態の光キャビネットを示す平面図である。
【図２】  図１の光キャビネットのケーブル固定部近傍を示す平面図である。
【図３】  図１の光キャビネットのケーブル固定部近傍を示す側断面図である。
【図４】  図１の光キャビネットのケーブル固定部近傍を示す正断面図である。
【図５】  従来例の光キャビネットのケーブル固定部近傍を示す平面図である。
【図６】  従来例の光キャビネットのケーブル固定部近傍を示す断面図である。
【符号の説明】
１…光キャビネット、１ａ…キャビネット本体、２…配線用プレート（底板）、２ａ…光ファイバ配線面、４…光ファイバケーブル、５…ケーブル固定部、６，８…光ファイバ、１６…隙間。
【図１】
0003784605.tif 000002
【図２】
0003784605.tif 000003
【図３】
0003784605.tif 000004
【図４】
0003784605.tif 000005
【図５】
0003784605.tif 000006
【図６】
0003784605.tif 000007